【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
被検眼に照射する光に生じる収差を補正する収差補正手段と、
前記収差補正手段への照射光の光路と前記収差補正手段からの反射光の光路とに共通に設けられた共通光学系と、
を備え、
前記共通光学系が、少なくとも１つの光学素子を含み、 
前記照射光と前記反射光とがそれぞれ通過する領域が前記少なくとも１つの光学素子で重複することを特徴とする眼科装置。
【請求項２】
前記共通光学系が、複数の光学素子を含み、
前記照射光と前記反射光とがそれぞれ通過する領域が、前記複数の光学素子のうち前記収差補正手段に近い位置に設けられた光学素子で重複することを特徴とする請求項１に記載の眼科装置。
【請求項３】
前記照射光の光路に設けられた前記共通光学系とは別の第１の光学素子と、
前記反射光の光路に設けられた前記共通光学系とは別の第２の光学素子と、を更に備え、
前記第１の光学素子の光軸及び前記第２の光学素子の光軸を前記共通光学系の光軸に対してずらして構成することを特徴とする請求項１または２に記載の眼科装置。
【請求項４】
前記共通光学系と前記第１の光学素子との間の第１の中間像と、前記共通光学系と前記第２の光学素子との間の第２の中間像とを含む像面が湾曲することを特徴とする請求項３に記載の眼科装置。
【請求項５】
前記共通光学系を介して前記被検眼の前眼部に対して光学的に共役な位置に配置され、前記被検眼からの光に生じる収差を測定する収差測定手段を更に備え、
前記収差補正手段は、前記収差測定手段によって取得された測定結果に基づいて、収差を補正することを特徴とする請求項１乃至４のいずれか１項に記載の眼科装置。
【請求項６】
前記収差測定手段が、シャック・ハルトマン(Ｓｈａｃｋ−Ｈａｒｔｍａｎｎ)方式の波面センサであることを特徴とする請求項５に記載の眼科装置。
【請求項７】
前記収差補正手段が、前記共通光学系を介して前記被検眼の前眼部に対して光学的に共役な位置に配置され、
前記収差補正手段が、反射型の形状可変ミラーと反射型の空間光変調器とのうち少なくとも一方であることを特徴とする請求項１乃至６のいずれか１項に記載の眼科装置。
【請求項８】
前記共通光学系を介して前記収差補正手段に対して光学的に共役な位置に配置され、前記被検眼の眼底に対して前記被検眼に照射する光を走査する走査手段を更に備えることを特徴とする請求項１乃至７のいずれか１項に記載の眼科装置。
【請求項９】
前記少なくとも１つの光学素子は、非球面形状の光学素子であることを特徴とする請求項１乃至８のいずれか１項に記載の眼科装置。
【請求項１０】
前記非球面形状の光学素子は、単一の極値を持つことを特徴とする請求項９に記載の眼科装置。
【請求項１１】
前記非球面形状の光学素子は、非球面レンズであり、
前記照射光と前記反射光とがそれぞれ通過する領域が前記非球面レンズの面上で重複することを特徴とする請求項９または１０に記載の眼科装置。
【請求項１２】
前記少なくとも１つの光学素子は、凹面ミラーであることを特徴とする請求項１乃至８のいずれか１項に記載の眼科装置。
【請求項１３】
前記収差補正手段により収差が補正された状態で前記被検眼からの反射光を検出する検出手段と、
前記検出手段の検出結果に基づいて前記被検眼の眼底の画像を生成する生成手段と、
を更に備えることを特徴とする請求項１乃至１２のいずれか１項に記載の眼科装置。
【請求項１４】
請求項１乃至１３のいずれか１項に記載の眼科装置の制御方法であって、
前記眼科装置の前記収差補正手段により収差が補正された状態で前記被検眼からの反射光を検出する検出工程と、
前記検出工程の検出結果に基づいて前記被検眼の眼底の画像を生成する生成工程と、
を有することを特徴とする眼科装置の制御方法。
【請求項１５】
光源から被検物に向けて照射された光の反射光を受け、前記被検物の波面を検出する波面センサと、
前記波面センサに対して光学的に共役な位置に配置され、前記波面センサで検出された前記波面の検出結果に基づいて求められた波面収差を補正する反射型波面補正手段と、
前記光源から照射され、集光された第１の中間像からの光を第１の光路で伝搬させ、前記伝搬した光を前記反射型波面補正手段に入射させ、前記反射型波面補正手段で反射された光を前記第１の光路とは異なる第２の光路で伝搬させ、前記第１の中間像とは異なる第２の中間像として集光させる共通光学系と、を有し、
前記共通光学系が、少なくとも１つの光学素子を含み、
前記共通光学系の入射瞳の位置に前記反射型波面補正手段が配置され、前記入射瞳を持つ前記共通光学系の像面に前記第１の中間像と前記第２の中間像とが集光されることを特徴とする補償光学系。
【請求項１６】
前記第１の中間像と前記第２の中間像とを含む像面が湾曲することを特徴とする請求項１５に記載の補償光学系。
【請求項１７】
前記少なくとも１つの光学素子は、単一の極値を持つ非球面形状を持つことを特徴とする請求項１５または１６に記載の補償光学系。
【請求項１８】
前記少なくとも１つの光学素子は、非球面レンズであり、
前記光源から被検物に向けて照射された照射光と前記反射光とがそれぞれ通過する領域が前記非球面レンズの面上で重複することを特徴とする請求項１５乃至１７のいずれか１項に記載の補償光学系。
【請求項１９】
前記少なくとも１つの光学素子は、凹面ミラーであることを特徴とする請求項１５または１７に記載の補償光学系。
【請求項２０】
前記共通光学系は、前記反射型波面補正手段に入射される主光線の反射点を通り、前記反射型波面補正手段に垂直な軸を光軸とする共軸光学系であることを特徴とする請求項１５乃至１９のいずれか１項に記載の補償光学系。
【請求項２１】
前記波面センサと前記反射型波面補正手段とに対して光学的に共役な位置に配置され、前記波面センサで検出された前記波面の検出結果に基づいて求められた波面収差を補正する第２の反射型波面補正手段と、
第２の中間像からの光を第３の光路で伝搬させ、前記伝搬した光を前記第２の反射型波面補正手段に入射させ、前記第２の反射型波面補正手段で反射された光を前記第３の光路とは異なる第４の光路で伝搬させ、前記第２の中間像とは異なる第３の中間像として集光させる第２の共通光学系とを更に有し、
前記第２の共通光学系の像面に前記第２の中間像と前記第３の中間像とが集光されることを特徴とする請求項１５乃至２０のいずれか１項に記載の補償光学系。
【請求項２２】
前記共通光学系と前記第２の共通光学系に入射されるそれぞれの光の径の比に基づいて、前記共通光学系と前記第２の共通光学系のそれぞれの焦点距離が設定されることを特徴とする請求項２１に記載の補償光学系。
【請求項２３】
前記光源から被検物に向けて照射された照射光と前記反射光とがそれぞれ通過する領域が前記少なくとも１つの光学素子で重複することを特徴とする請求項１５乃至２２のいずれか１項に記載の補償光学系。
【請求項２４】
前記共通光学系が、複数の光学素子を含み、
前記照射光と前記反射光とがそれぞれ通過する領域が、前記複数の光学素子のうち前記反射型波面補正手段に近い位置に設けられた光学素子で重複することを特徴とする請求項２３に記載の補償光学系。
【請求項２５】
前記被検物が、被検眼であり、
前記反射型波面補正手段が、前記共通光学系を介して前記被検眼の前眼部に対して光学的に共役な位置に配置され、
前記反射型波面補正手段が、反射型の形状可変ミラーと反射型の空間光変調器とのうち少なくとも一方であることを特徴とする請求項１５乃至２４のいずれか１項に記載の補償光学系。
【請求項２６】
前記共通光学系を介して前記反射型波面補正手段に対して光学的に共役な位置に配置され、前記被検眼の眼底に対して前記被検眼に照射する光を走査する走査手段を更に有することを特徴とする請求項２５に記載の補償光学系。
【請求項２７】
請求項１５乃至２６のいずれか１項に記載の補償光学系と、
前記補償光学系により波面収差が補正された状態で前記被検物からの反射光を検出する検出手段と、
前記検出手段の検出結果に基づいて前記被検物の画像を生成する生成手段と、
を有することを特徴とする画像生成装置。
【請求項２８】
請求項１５乃至２６のいずれか１項に記載の補償光学系を用いた画像生成方法であって、
前記補償光学系により波面収差が補正された状態で前記被検物からの反射光を検出する検出工程と、
前記検出工程の検出結果に基づいて前記被検物の画像を生成する生成工程と、
を有することを特徴とする画像生成方法。
【請求項２９】
コンピュータに請求項１４に記載された眼科装置の制御方法の各工程を実行させるためのプログラム。
【請求項３０】
コンピュータに請求項２８に記載された画像生成方法の各工程を実行させるためのプログラム。
【手続補正２】
【補正対象書類名】明細書
【補正対象項目名】発明の名称
【補正方法】変更
【補正の内容】
【発明の名称】眼科装置、眼科装置の制御方法、補償光学系、画像生成装置、画像生成方法、プログラム
【手続補正３】
【補正対象書類名】明細書
【補正対象項目名】０００１
【補正方法】変更
【補正の内容】
【０００１】
本発明は眼科装置、眼科装置の制御方法、補償光学系、補償光学系を用いた画像生成装置、画像生成方法およびプログラムに関し、特に、被検物で発生する波面収差を補正する眼科装置、眼科装置の制御方法、補償光学系、その補償光学系を用いた画像生成装置、画像生成方法およびプログラムに関するものである。
【手続補正４】
【補正対象書類名】明細書
【補正対象項目名】００１７
【補正方法】変更
【補正の内容】
【００１７】
本発明の目的は、コンパクトなサイズの眼科装置、補償光学系、画像生成装置を提供することにある。
【手続補正５】
【補正対象書類名】明細書
【補正対象項目名】００１８
【補正方法】変更
【補正の内容】
【００１８】
また、本発明の他の目的は、有効面積の広い波面補正器を用いた場合においても、複雑な構成を必要とせずに、光学系の残収差を抑えつつ、コンパクトなサイズの眼科装置、補償光学系、画像生成装置を提供することにある。
【手続補正６】
【補正対象書類名】明細書
【補正対象項目名】００１９
【補正方法】変更
【補正の内容】
【００１９】
本発明にかかる眼科装置は、被検眼に照射する光に生じる収差を補正する収差補正手段と、
前記収差補正手段への照射光の光路と前記収差補正手段からの反射光の光路とに共通に設けられた共通光学系と、
を備え、
前記共通光学系が、少なくとも１つの光学素子を含み、 
前記照射光と前記反射光とがそれぞれ通過する領域が前記少なくとも１つの光学素子で重複することを特徴とする。
本発明にかかる補償光学系は、光源から被検物に向けて照射された光の反射光を受け、前記被検物の波面を検出する波面センサと、
前記波面センサに対して光学的に共役な位置に配置され、前記波面センサで検出された前記波面の検出結果に基づいて求められた波面収差を補正する反射型波面補正手段と、
前記光源から照射され、集光された第１の中間像からの光を第１の光路で伝搬させ、前記伝搬した光を前記反射型波面補正手段に入射させ、前記反射型波面補正手段で反射された光を前記第１の光路とは異なる第２の光路で伝搬させ、前記第１の中間像とは異なる第２の中間像として集光させる共通光学系と、を有し、
前記共通光学系が、少なくとも１つの光学素子を含み、
前記共通光学系の入射瞳の位置に前記反射型波面補正手段が配置され、前記入射瞳の位置を基準とした前記共通光学系の像面に前記第１の中間像と前記第２の中間像とが集光されることを特徴とする。
本発明にかかる画像生成装置は、
上記の補償光学系と、
前記補償光学系により波面収差が補正された状態で前記被検物からの反射光を検出する検出手段と、
前記検出手段の検出結果に基づいて前記被検物の画像を生成する生成手段と、
を有することを特徴とする。
【手続補正７】
【補正対象書類名】明細書
【補正対象項目名】００２０
【補正方法】変更
【補正の内容】
【００２０】
本発明によれば、複雑な構成を必要とせず、コンパクトなサイズの眼科装置、補償光学系、画像生成装置を提供することができる。
【手続補正８】
【補正対象書類名】明細書
【補正対象項目名】００２１
【補正方法】変更
【補正の内容】
【００２１】
また、有効面積の広い反射型波面補正器を用いた場合においても、複雑な構成を必要とせずに、光学系の残収差を抑えつつ、コンパクトなサイズの眼科装置、補償光学系、画像生成装置を提供することができる。